(57)【特許請求の範囲】
【請求項１】
開口を有する筐体と、
前記開口に配置され、複数の翼を有するファンと、
前記ファンの上流側に設けられたファン駆動部と、
平面視、前記筐体内を橋渡すように延び前記ファン駆動部を支える少なくとも一つのサポート部材とを備えた室外機であって、
前記筐体内の側面には、熱交換器が設けられており、
前記サポート部材は、下方に凹んだ凹部を形成する一対の第１段差部と、該凹部の底に平坦部を形成する一対の第２段差部とを含み、
前記一対の第１段差部は、前記ファンよりも上流側に位置しており、
前記翼の上流端部の高さラインＨＬから前記平坦部までの鉛直方向距離が、前記ファン駆動部の回転軸を境に、風路断面積の狭い側が広い側よりも長い、
室外機。
【請求項２】
前記ファンの径方向に関して、前記複数の翼の最外径部は、前記一対の第１段差部よりも当該ファンの径方向の外側に位置する、
請求項１の室外機。
【請求項３】
前記サポート部材の端部と前記一対の第１段差部との間は、前記凹部よりも上方に位置している、
請求項１又は２の室外機。
【請求項４】
前記サポート部材は、前記平坦部に凸部を形成する一対の第３段差部とを含んでおり、
前記ファン駆動部は、前記サポート部材における前記凸部に設けられている、
請求項１〜３の何れか一項の室外機。
【請求項５】
前記サポート部材の延長方向と直交する側方からみて、前記凹部は、前記ファン駆動部の回転軸を境に、片側だけに設けられている、
請求項１〜４の何れか一項の室外機。
【請求項６】
前記サポート部材の延長方向と直交する側方からみて、少なくとも一つの前記第１段差部と前記凹部の底との間が、階段状に形成されている、
請求項１〜５の何れか一項の室外機。
【請求項７】
前記一対の第１段差部は、前記サポート部材の延長方向と直交する側方からみて、直角よりも大きな角度で折れ曲がった形状を有する、
請求項１〜６の何れか一項の室外機。
【請求項８】
前記一対の第１段差部は、前記サポート部材の延長方向と直交する側方からみて、ラウンド形状を有する、
請求項１〜６の何れか一項の室外機。
【発明の詳細な説明】
【技術分野】
【０００１】
本発明は、室外機に関するものである。
【背景技術】
【０００２】
近年、省電力かつ低騒音な空気調和機が求められており、空気調和機の室外機に搭載されている圧縮機や送風機の低騒音化と高効率化とが求められる。送風機については、ファン形状改善だけではなく風路形状改善も重要な事項であり、風路形状について工夫がなされた構成として、例えば、特許文献１に開示された構成がある。【０００３】
特許文献１には、ファン及びモータを載置する支持板と、その支持板を室外機の筐体内の適所に支持する固定ロッドとを含む支持台が開示されている。この支持台は、ファンを中心に対称的に構成されており、固定ロッドの端部はそれぞれ、斜め上向きに傾斜して延びている。
【先行技術文献】
【特許文献】
【０００４】
【特許文献１】特開２００９−１６８４３７号公報（特に図４参照）
【発明の概要】
【発明が解決しようとする課題】
【０００５】
ここで、騒音は、流れ変動によって生じるものであり、また、エネルギー損失は、気流の速度差による摩擦によって発生する。ファンの吸込みの風速分布が偏っている場合や、流れに乱れが含まれている場合には、回転する翼がその流れを切るときに、翼入口部の表面（翼前縁付近）で力の変動が発生し、騒音を発生させる。また、乱れのある流れを翼が掻くことにより、気流の風速差が拡大し空気間の摩擦を増加させ、エネルギー損失を増加させ、ひいては消費電力が増加する。【０００６】
乱れを作る要因の例として、ファン上流にある障害物が挙げられ、具体例として、ファンを駆動するモータや、モータを保持するモータサポートが挙げられる。気流が、このような障害物を通過すると、下流側に低風速域（後流）が生じ、周囲との風速差が発生する。【０００７】
空気調和機の室外機には、圧縮機、冷媒回路部品、駆動装置などが搭載されており、風路形状は複雑な形となる。内部の通過風速分布は一様ではなく、局所的に高速流が存在する。そのため、障害物を通過するときに発生する後流も強くなり、風速差が大きくなる。その結果、ファンで発生する騒音の増加や、エネルギー損失の増加を招く。【０００８】
このような問題に関し、上述した特許文献１に開示の構成によれば、斜め上向きに傾斜した固定ロッドで、ファンを囲む形態になるため、固定ロッドで発生した後流が弱まる前に翼と干渉しやすく、騒音が増加する問題やエネルギー損失が増加する問題の解決は難しい。【０００９】
さらに、特許文献１の構成では、このような気流に関する問題ばかりではなく、固定ロッドでファンを囲む形態から、限られた室外機サイズにおいてファン径が小さくなるという構成上の問題も生じる。その結果、大風量を送風するために回転数を増加すると、騒音が増大する問題も生じうる。【００１０】
本発明は、上記に鑑みてなされたものであり、ファン上流のモータサポートで発生する後流を低減して、ファンで発生する騒音と、乱れによるエネルギー損失とを低減することができる室外機を提供することを目的とする。
【課題を解決するための手段】
【００１１】
上述した目的を達成するため、本発明は、開口を有する筐体と、前記開口に配置され、複数の翼を有するファンと、前記ファンの上流側に設けられたファン駆動部と、平面視、前記筐体内を橋渡すように延び前記ファン駆動部を支える少なくとも一つのサポート部材とを備えた室外機であって、前記筐体内の側面には、熱交換器が設けられており、前記サポート部材は、下方に凹んだ凹部を形成する一対の第１段差部を含み、前記一対の第１段差部は、前記ファンよりも上流側に位置している。
【発明の効果】
【００１２】
本発明の室外機によれば、ファン上流のモータサポートで発生する後流を低減して、ファンで発生する騒音と、乱れによるエネルギー損失とを低減することができる。
【図面の簡単な説明】
【００１３】
【図１】本発明の実施の形態１に係る空気調和機の室外機の外観を示す斜視図である。
【図２】ベルマウス及びファンを除去して室外機内部を示す斜視図である。
【図３】ファンユニットを除去して室外機内部を示す斜視図である。
【図４】図１のＡ−Ａ線に沿って見た場合の空気調和機の室外機の内部構成を示す図である。
【図５】図４と同態様の図であり、気流の流れを示す図である。
【図６】モータサポート手段で発生した後流が翼と干渉する様子を説明する図である。
【図７】本発明の実施の形態２に関する、図４と同態様の図である。
【図８】本発明の実施の形態３に関する、図４と同態様の図である。
【図９】本実施の形態３に関し、ファンの回転軸と、熱交換器及び電気部品ボックスとの位置関係を、上方から平面的にみて示す図である。
【図１０】モータサポート部材の前後の気流の様子を示す図である。
【図１１】本実施の形態３の改変形態に関する、図４と同態様の図である。
【図１２】本実施の形態４の改変形態に関する、図４と同態様の図である。
【図１３】本実施の形態５の改変形態に関する、図４と同態様の図である。
【図１４】本実施の形態６の改変形態に関する、図４と同態様の図である。
【発明を実施するための形態】
【００１４】
以下、本発明に係る空気調和機の室外機の実施の形態について添付図面に基づいて説明する。なお、図中、同一符号は同一又は対応部分を示すものとする。
【００１５】
実施の形態１．
図１は、本実施の形態１に係る空気調和機の室外機の外観を示す斜視図であり、図２は、ベルマウス及びファンを除去して室外機内部を示す斜視図であり、図３は、ファンユニットを除去して室外機内部を示す斜視図である。なお、図１〜図３においては、後述する熱交換器等、室外機内部構成が見やすいように、空気調和機の室外機の筐体の側面のうちの一面分のメッシュプレートを省略して示している。
【００１６】
空気調和機の室外機１は、側方から空気を吸込み、鉛直方向の上方から空気を吐出するタイプの室外機である。空気調和機の室外機１は、筐体３と、プロペラファン５（以下、単にファン５と称する）と、ファン駆動部としてのファンモータ７と、少なくとも一つの（本実施の形態１では一対の）モータサポート部材９とを備えている。
【００１７】
筐体３は、その上部（鉛直方向の上側）が開放されており、開口３ａを有している。ファン５は、筐体３の開口３ａに配置されている。より詳細には、筐体３の上部には、開口３ａを覆うように環状のベルマウス１１が載せられている。そして、上記のファン５は、ベルマウス１１によって囲まれるように配置されている。
【００１８】
ファン５は、回転軸１３と、回転軸１３付近に位置するボス部１５と、ボス部１５の外周から径方向外側へと放射状に延びる複数の翼１７とを有している。
【００１９】
ファンモータ（ファン駆動部）７は、ファン５の駆動源であり、ファン５の上流側に配置されている。なお、ファン駆動部の具体的構成は、特に限定されるものではないが、本実施の形態１（実施の形態２以降も同様）では、電動モータを例に説明する。ファンモータ７の駆動軸は、回転軸１３であり、ファン５は、ファンモータ７の駆動トルクによって回転する。
【００２０】
一対のモータサポート部材９は、一定間隔で離隔されている。ファンモータ７は、これら一対のモータサポート部材９によって、上記開口３ａの近傍の適所に、筐体３から浮いたような状態で支持されている。
【００２１】
ファン５と、ベルマウス１１と、ファンモータ７と、モータサポート部材９とが、ファンユニット１９を構成する。
【００２２】
筐体３は、平面視、矩形に形成されており、筐体３は、一面のパネル及び三面のメッシュプレートからなる四つの側面を有している。筐体３内には、まず、熱交換器２１が設けられている。熱交換器２１は、筐体３の側面におけるメッシュプレートに沿うように配置されており、平面視、概ねＵ字状に構成されている。また、筐体３内には、電気部品ボックス２３が設けられている。電気部品ボックス２３は、熱交換器２１が沿う側面とは異なる筐体３の側面であるパネルに沿うように配置されている。電気部品ボックス２３は、圧縮機２５（後述する図４及び図５参照）やファンモータ７を駆動する基板を内蔵する。なお、筐体３内には、配管等の冷媒回路を構成する部品（図示省略）も配置されている。
【００２３】
熱交換器２１と、電気部品ボックス２３と、圧縮機２５と、その他、筐体３内に設けられた図示省略する冷凍回路関係の部品とが、熱交換器ユニット２７を構成する。
【００２４】
次に、ファンモータの支持態様について説明する。図４は、図１のＡ−Ａ線に沿って見た場合の空気調和機の室外機の内部構成を示す図である。
【００２５】
モータサポート部材９はそれぞれ、平面視、筐体３内を橋渡すように延びている。モータサポート部材９は、横方向（水平方向）に延びており、特に、本実施の形態１では、平面視、電気部品ボックス２３の配置されている側と、電気部品ボックス２３と対向する熱交換器２１の部分が存在する側との間でまたがるように延びている。
【００２６】
モータサポート部材９はそれぞれ、棒状の部材であり、各モータサポート部材９の両側の端部９ａは、それぞれ、ファンユニット１９の向かい合う内側面１９ａ（ベルマウス１１の一部）に固定されている。
【００２７】
モータサポート部材９はそれぞれ、図４のようにモータサポート部材９の延長方向と直交する側方からみて、下方に落ち込む（熱交換器ユニット２７側に向けて凹む）凹部２９を形成する一対の第１段差部（変曲部）３１と、その凹部２９の底に平坦部３３を形成する一対の第２段差部（変曲部）３５とを含む。
【００２８】
モータサポート部材９のそれぞれの端部９ａと、対応する第１段差部３１との間、及び、一対の第２段差部３５の間（平坦部３３）は、ほぼ水平に延びている。また、各第１段差部３１と、対応する第２段差部３５との間は、ほぼ鉛直に延びている。したがって、各第１段差部３１及び各第２段差部３５は、上記の側方からみて、直角に折れ曲がるように形成されている。
【００２９】
一対の第１段差部３１は、一対の第２段差部３５よりも上方に配置されている。また、モータサポート部材９のそれぞれの端部９ａと、対応する第１段差部３１との間は、平坦部３３よりも上方に配置されている。さらに、モータサポート部材９は、その全体が、ファン５よりも上流側（下方）に配置されている。すなわち、モータサポート部材９の両側の端部９ａ、一対の第１段差部３１、一対の第２段差部３５の全てが、ファン５よりも上流側に位置している。
【００３０】
ファンモータ７は、かかるモータサポート部材９の凹部２９に配置され、特に、平坦部３３に配置されている。より詳細には、ファンモータ７は、一対のモータサポート部材９における一対の平坦部３３にまたがるようにして支持されている。
【００３１】
また、ファンの径方向（特にモータサポート部材の延びる方向でもある径方向）に関して、複数の翼１７の最外径部１７ａは、一対の第１段差部３１よりもファンの径方向の外側に位置する。
【００３２】
モータサポート部材９の延長方向と直交する側方からみて、翼１７の上流端部１７ｂの高さラインＨＬからモータサポート部材９（端部９ａと第１段差部３１との間の部分）までの鉛直方向距離Ｌａよりも、当該高さラインＨＬから平坦部３３までの鉛直方向距離Ｌｂの方が長くなる。換言すると、ファン５は、モータサポート部材９の凹部２９内ではなく凹部２９の外に位置する。さらに換言すると、翼１７の高さラインＨＬは、一対の第１段差部３１よりも上流側にあり、且つ、一対の第１段差部３１と離れている。
【００３３】
また、一例であるが、モータサポート部材９の平坦部３３は、熱交換器２１の上端や電気部品ボックス２３の上端よりも、上流側（下方）に位置している。
【００３４】
次に、以上のように構成された本実施の形態１に係る空気調和機の室外機の動作及び利点について説明する。図５は、図４と同態様の図であり、気流の流れを示す図である。図６は、モータサポート手段で発生した後流が翼と干渉する様子を説明する図である。図５において、矢印Ｒで示すようにファン５が回転すると、熱交換器２１を通過して筐体３内に空気が流入し、気流３７が生じる。流入した空気は、ファン５に向かって上昇する。
【００３５】
ここで、図６に示されるように、気流がファン吸込み側にあるモータサポート手段５９を通過すると、モータサポート手段５９の下流側に低速域が発生する。そして、低速域とその周囲との風速差により渦６１が発生し、渦６１を含む乱れた流れが、翼６３と干渉する。このため、上述した特許文献１に開示されたようなモータサポート手段５９が翼を囲むような形態では、発生した後流が弱まる前に翼に干渉してしまい、後流と翼とが干渉したときに翼に発生する力の変動が騒音増加を招くこととなる。また、乱れた流れを翼が掻くことで風速差が増加され、気流摩擦が増強されて、エネルギー損失が増大することとなる。
【００３６】
これに対し、本実施の形態１では、モータサポート部材９は、下方に凹む凹部２９を形成する一対の第１段差部３１を含み、その一対の第１段差部３１が、ファン５よりも上流側に位置しているので、発生した後流は、翼１７に至るまでに混合されて弱まり、翼直前で乱れが小さくなる。すなわち、ファンの吸込み流れが整流化されることとなる。その結果、翼１７に流入するときに発生する力の変動が小さくなり、騒音が低減する。また翼１７が流れを切るときに発生する風速差も小さくなり、エネルギー損失が低減される。
【００３７】
また、本実施の形態１では、ファン５はモータサポート部材９に囲われた形態ではない。すなわち、モータサポート部材９の一対の第１段差部３１は、ファン５よりも上流側にあり、モータサポート部材９の全体がファン５よりも上流側にある。よって、ファン５が凹部２９に入り込むこともなく、ファン５における水平方向の隣にモータサポート部材９の一部が位置することもない。ファンの径方向に関して、複数の翼１７の最外径部１７ａは、一対の第１段差部３１よりも径方向外側に位置する。これにより、第１段差部３１の間隔よりも径が大きいファン５を搭載することができ、限られた室外機サイズにおいてファン径を大きく維持できる。その結果、大風量を送風するために回転数を増加させることも強いられず、回転数増加に伴う騒音増大の問題を回避することができる。なお、同じ室外機サイズであれば、本実施の形態１によれば、上記特許文献１に開示の構造よりも、径の大きなファンを搭載できる。
【００３８】
また、モータサポート部材９の端部９ａと第１段差部３１との間は、凹部２９よりも上方に位置しているため、熱交換器２１の高さを高くすることができ、容積増加による熱交換量の増加が実現できる。また、風量＝風速×通過面積の関係より、熱交換器の高さを増加させることにより通過面積を拡大することができる。その結果、同じ風量を送風するときに通過風速を低減することができ、熱交換器を通過するときの圧力損失が低減される。このため、ファンの負荷が低減し、入力低減と騒音低減とを実現できる。
【００３９】
また、モータサポート部材９の端部９ａと第１段差部３１との間は、凹部２９よりも上方に位置しているため、電気部品ボックス２３をファン５に近い上方寄りに配置することができる。よって、電気部品ボックス２３がファン５に近い分、電気部品ボックス２３の表面に取り付けられるヒートシンク（図示省略）を高速の気流が通過するため、ヒートシンクにおける熱交換効率が向上する。よって、最終的には、同じ大きさのヒートシンクを用いても、基板の冷却性能を高めることができ、あるいは、同じ冷却性能を得るにあたって、ヒートシンクを小さくすることができる。
【００４０】
このように本実施の形態１に係る空気調和機の室外機によれば、ファン上流のモータサポートで発生する後流を低減して、ファンで発生する騒音と、乱れによるエネルギー損失とを低減することができる。
【００４１】
実施の形態２．
次に、本発明の実施の形態２に係る空気調和機の室外機を説明する。図７は、本発明の実施の形態２に関する、図４と同態様の図である。なお、本実施の形態２は、以下に説明する部分を除いては、上記実施の形態１と同様であるものとする。空気調和機の室外機１０１におけるモータサポート部材１０９には、凹部２９の平坦部３３に上向きに形成された凸部１３９が設けられている。換言すれば、モータサポート部材１０９には、一対の第２段差部３５の間に、凸部１３９を形成する一対の第３段差部（変曲部）１４１を有している。そして、ファンモータ７は、平坦部３３よりも位置が高い凸部１３９に設けられている。
【００４２】
このような本実施の形態２によれば、次のような利点が得られている。まず、ファンの出力である昇圧や風量等の空力特性を維持するため、ファンとベルマウスとの相対位置は、既存の態様と同様に維持しておくことが望ましい。ここで、上記実施の形態１では、モータサポートの凹部の存在により、ファンモータの位置は熱交換器ユニット側（下方側）に移動する。このため、ファンとベルマウスとの相対位置を好適に維持するためには、ファンを固定するファンモータのシャフト（回転軸）を長くする必要がある。しかしながら、シャフトが長くなると、ファン回転時に重量バランスに起因した振動や気流から受ける力に起因した振動が増幅されることが考えられる。そこで、本実施の形態２では、ファンモータ７を、平坦部３３の凸部１３９に取り付けることで、凹部２９を設けながら、且つ、ファンとベルマウスとの相対位置は既存の好適な関係を確保することが可能となっている。これにより、実施の形態１と同様にモータサポートで発生する後流を低減しつつも、好適な空力特性の維持、並びに、振動の低減を実現することも可能となっている。
【００４３】
なお、特に限定するものではないが、本実施の形態２では、凸部１３９の幅をファン５のボス部１５の径よりも小さくしている。これにより、凸部１３９で後流が発生したとしても、その後流が翼１７に干渉しにくく企図されている。よって、凸部１３９をファン５に接近させる構成を採りながら、低騒音化と高効率化とを維持しやすい。
【００４４】
実施の形態３．
次に、本発明の実施の形態３に係る空気調和機の室外機を説明する。図８は、本発明の実施の形態３に関する、図４と同態様の図である。図９は、本実施の形態３に関し、ファンの回転軸と、熱交換器及び電気部品ボックスとの位置関係を、上方から平面的にみて示す図である。さらに、図１０は、モータサポート部材の前後の気流の様子を示す図である。なお、図８〜図１０の構成は、以下に説明する部分を除いては、上記実施の形態２と同様であるものとする。
【００４５】
空気調和機の室外機２０１におけるモータサポート部材２０９では、一対の第２段差部２３５ａ，２３５ｂの間に、凸部２３９を形成する一対の第３段差部２４１ａ，２４１ｂを有している。
【００４６】
実施の形態３では、一対の第２段差部２３５ａ，２３５ｂ、一対の平坦部２３３ａ，２３３ｂ及び一対の第３段差部２４１ａ，２４１ｂはそれぞれ、左右で高さが異なっている。すなわち、電気部品ボックス２３側の第２段差部２３５ａ、平坦部２３３ａ及び第３段差部２４１ａは、電気部品ボックス２３と対向する熱交換器２１側の第２段差部２３５ｂ、平坦部２３３ｂ及び第３段差部２４１ｂよりも低い位置に配置されている。換言すると、モータサポート部材２０９の延長方向と直交する側方からみて、翼１７の上流端部１７ｂの高さラインＨＬから電気部品ボックス２３側の平坦部２３３ａまでの鉛直方向距離Ｌｄが、高さラインＨＬから熱交換器２１側の平坦部２３３ｂまでの鉛直方向距離Ｌｃよりも長くなるように構成されている。そして、ファンモータ７は、平坦部２３３ａ，２３３ｂの何れに対しても高く突出する凸部２３９に設けられている。
【００４７】
このような本実施の形態３によれば、次のような利点が得られている。まず、図９に示されるように、上下方向に投影的にみた位置関係において、ファンモータ７の回転軸１３と熱交換器２１との水平距離Ｄ２１は、ファンモータ７の回転軸１３と電気部品ボックス２３との水平距離Ｄ２３よりも長くなる。このような水平距離の差は、気流の通過面積の差となり、回転軸１３よりも電気部品ボックス２３側の風路断面積が、回転軸１３よりも熱交換器２１側の風路断面積に比べて狭くなるため、電気部品ボックス２３側の風路の気流の流速が速くなる。つまり、モータサポート部材９を通過することで発生する後流の大きさが電気部品ボックス２３側と熱交換器２１側とで異なることとなる。そこで、本実施の形態３では、翼１７の上流端部１７ｂの高さラインＨＬから電気部品ボックス２３側の平坦部２３３ａまでの鉛直方向距離Ｌｄが、高さラインＨＬから熱交換器２１側の平坦部２３３ｂまでの鉛直方向距離Ｌｃよりも長くなるように構成する。これにより、風速が速い電気部品ボックス２３側で発生したより強い後流を、翼入口に到達するまでに十分に低減することができる。また、図１０に示すように発生時は強さが異なる後流２４３ａ，２４３ｂが、翼入口に到達するときには同等程度に弱まるため、翼の回転位置にわたって（電気部品ボックス２３（パネル）側と熱交換器２１側との間で）、翼に発生する力の変動の均一化が図られる。その結果、回転音などのピーク音低減効果が得られ、聴感を改善する室外機を実現できる。
【００４８】
なお、本発明は、モータサポート部材に形成された凹部がファンモータの回転軸の左右両側にまで拡がっていることに限定されるものではなく、モータサポート部材の凹部は、ファンの回転範囲の上流（下方）領域の少なくとも一部に存在していればよい。従って、以下に説明するように、凹部がファンモータの回転軸に対して左右片側だけに設けられていてもよい。一例として、熱交換器２１側での通過流速が小さく、熱交換器２１側での後流の影響が小さい場合には、図１１に示されるように、左右一対の第１段差部３１によって形成される凹部２９が、ファンモータ７の回転軸１３における電気部品ボックス２３側だけに設けられていてもよい。かかる図１１に示す構成においても、上記空気調和機の室外機２０１と同様の効果が得られる。なお、この空気調和機の室外機３０１は、上述した部分を除いては、上記空気調和機の室外機２０１と同様であるものとする。また、図１１の例示は、電気部品ボックス２３側の風路断面積が狭い場合の例であったが、逆に、熱交換器２１側の風路断面積が狭い場合には、ファンモータ７の回転軸１３における熱交換器２１側だけに凹部を設けるようにしてもよい。この点、図８の例示も同様であり、熱交換器２１側の風路断面積が狭い場合には、鉛直方向距離Ｌｄが、鉛直方向距離Ｌｃよりも短くなる関係に構成することもできる。
【００４９】
なお、図１１の態様は、翼の上流端部の高さラインＨＬからモータサポート部材までの鉛直方向距離が、ファンモータの回転軸を境に左右で異なるという観点で、図８の態様の改変形態として説明したが、凹部が、ファンモータの回転軸を境に、片側だけに設けられているという観点では、図４の態様の改変形態でもある。
【００５０】
また、図８及び図１１の態様は、ファンモータが凹部の底よりも高い位置に設けられている態様として示されていたが、図８及び図１１の態様は、実施の形態１と組み合わせて実施することもでき、すなわち、凹部を形成する第１段差部よりも低い位置にファンモータを配置して実施することも可能である。
【００５１】
実施の形態４．
次に、本発明の実施の形態４に係る空気調和機の室外機を説明する。図１２は、本発明の実施の形態４に関する、図４と同態様の図である。なお、図１２の構成は、以下に説明する部分を除いては、図８の構成と同様であるものとする。
【００５２】
本実施の形態４におけるモータサポート部材４０９においても、上記実施の形態３と同様な理由から、電気部品ボックス２３側の平坦部４３３ａを、熱交換器２１側の平端部４３３ｂよりも低くしている。また、モータサポート部材４０９において、電気部品ボックス２３側の第１段差部３１から平坦部４３３ａまでの間、及び、平坦部４３３ａからファンモータ７までの間が、複数の段差部４４５による階段状に形成されている。
【００５３】
このような本実施の形態４によれば、次のような利点が得られている。例えば、電気部品ボックス２３側を通過する気流の流速は、符号４４７で示す流速分布のように、電気部品ボックス２３（壁）に近い側は遅く、電気部品ボックス２３から離れるに従い速くなっている。また、ファンモータ７の真下は若干、遅くなっている。このような流速分布４４７のため、モータサポート部材から発生する後流の強さが場所により異なる。そこで、本実施の形態４では、翼１７の上流端部１７ｂの高さラインＨＬからモータサポート部材４０９までの鉛直距離を、流速分布４４７に合わせて変化させている。これにより、翼に流入する後流低減による低騒音化を実現でき、エネルギー損失低減を実現でき、翼上流端における後流による乱れを均一化にして、回転音などのピーク音低減効果がより強くなり、さらなる聴感改善を実現できる。
【００５４】
なお、本実施の形態４は、図１２の構成に限定されるものではなく、上記実施の形態１〜３の何れかにおいて、モータサポート部材の延長方向と直交する側方からみて、少なくとも一つの第１段差部と凹部の底との間を、流速分布に合わせて階段状に形成するようにして実施することもできる。
【００５５】
実施の形態５．
次に、本発明の実施の形態５に係る空気調和機の室外機を説明する。図１３は、本発明の実施の形態５に関する、図４と同態様の図である。なお、図１３の構成は、以下に説明する部分を除いては、図４の構成と同様であるものとする。
【００５６】
上述した実施の形態１〜４では、モータサポート部材の延長方向と直交する側方からみて、第１段差部や、第２段差部は、直角に形成されていたが、本発明はこれに限定されるものではない。すなわち、本実施の形態５の空気調和機の室外機５０１のモータサポート部材５０９は、一対の第１段差部５３１が、モータサポート部材の延長方向と直交する側方からみて、直角よりも大きな角度Ｏｂで折れ曲がった形状を有する。なお、図１３の図示例では、凹部２９の底が平端部であるので、一対の第２段差部５３５もまた同様に、モータサポート部材の延長方向と直交する側方からみて、直角よりも大きな角度Ｏｂで折れ曲がった形状を有する。そして、一対の第１段差部５３１はそれぞれ、対応する第２段差部５３５と、直線的に延びる傾斜部５４９でつながっている。
【００５７】
このような本実施の形態５によれば、第１段差部及び第２段差部がモータサポート部材の延長方向と直交する側方からみて、直角よりも大きな角度Ｏｂで屈曲するため、直角で屈曲している場合に比べ、気流が段差部を通過する時に、渦の発生によるエネルギー損失を抑えることができる。
【００５８】
なお、本実施の形態５は、上述した実施の形態２〜４で説明した構成に組み合わせて実施することもできる。
【００５９】
実施の形態６．
次に、本発明の実施の形態６に係る空気調和機の室外機を説明する。図１４は、本発明の実施の形態６に関する、図４と同態様の図である。なお、図１４の構成は、以下に説明する部分を除いては、図４の構成と同様であるものとする。
【００６０】
本実施の形態６は、第１段差部や、第２段差部は、直角に形成されていない場合の例として、実施の形態５とはさらに異なる例である。本実施の形態６の空気調和機の室外機６０１のモータサポート部材６０９は、一対の第１段差部６３１が、モータサポート部材の延長方向と直交する側方からみて、角がないように丸められたラウンド形状（一例としてほぼ９０度にわたる円弧形状）を有する。なお、図１４の図示例では、凹部２９の底が平端部であるので、一対の第２段差部６３５もまた同様に、モータサポート部材の延長方向と直交する側方からみて、ラウンド形状を有する。
【００６１】
このような本実施の形態６によれば、第１段差部及び第２段差部がモータサポート部材の延長方向と直交する側方からみて、角のないように滑らかに湾曲するため、直角で折れ曲がっている場合に比べ、気流が段差部を通過する時に、渦の発生によるエネルギー損失を抑えることができる。さらに、本実施の形態６では、第１段差部６３１と第２段差部６３５との間を延びる部分の傾きを、図１３の構成に比べ、より鉛直方向に近づけることが容易なので、図１３の構成に比べ、凹部２９をより広く形成しつつ、エネルギー損失を抑えることができる。
【００６２】
なお、本実施の形態６もまた、上述した実施の形態２〜４で説明した構成に組み合わせて実施することもできる。
【００６３】
実施の形態７．
上述した実施の形態１〜６は、軸流ファンを用いた空気調和機の室外機として実施した場合を例に説明したが、本発明は、これに限定されるものではない。実施の形態７として一例を挙げると、ヒートポンプを用いた給湯機の室外機において、実施の形態１〜６の何れかの特徴を備えるように構成した室外機として実施することもでき、同様な優れた効果を奏する。
【００６４】
以上、好ましい実施の形態を参照して本発明の内容を具体的に説明したが、本発明の基本的技術思想及び教示に基づいて、当業者であれば、種々の改変態様を採り得ることは自明である。
【００６５】
例えば、上述した実施の形態では、平行に延びる一対のモータサポート部材によってファンモータを支持する態様として説明したが、本発明は、これに限定されるものではなく、ファンモータの重量やモータサポート部材の強度等の条件によっては、一本のモータサポート部材で支持する態様でもよく、また、逆に、三本以上のモータサポート部材で支持する態様でもよい。また、一本のモータサポート部材で支持する態様では、他の補助的な部材を付加したり、当該一本のモータサポート部材に補助的な部分を付加したりして、ファンモータを支えることも可能である。
【００６６】
また、本発明は、モータサポート部材における凹部の底が、必ずしも平坦に形成されていることに限定されるものではない。
【符号の説明】
【００６７】
１，１０１，２０１，３０１，４０１，５０１，６０１  室外機、３  筐体、３ａ  開口、５  ファン、７  ファンモータ（ファン駆動部）、９，１０９，２０９，３０９，４０９，５０９，６０９  モータサポート部材（サポート部材）、９ａ  端部、１７  翼、１７ａ  最外径部、１７ｂ  上流端部、２１  熱交換器、２９  凹部、３１，５３１，６３１  第１段差部、３３，２３３ａ，２３３ｂ，４３３ａ，４３３ｂ  平坦部、３５，２３５ａ，２３５ｂ，５３５，６３５  第２段差部、１３９，２３９  凸部。
【図１】
0005924715.tif 000002
【図２】
0005924715.tif 000003
【図３】
0005924715.tif 000004
【図４】
0005924715.tif 000005
【図５】
0005924715.tif 000006
【図６】
0005924715.tif 000007
【図７】
0005924715.tif 000008
【図８】
0005924715.tif 000009
【図９】
0005924715.tif 000010
【図１０】
0005924715.tif 000011
【図１１】
0005924715.tif 000012
【図１２】
0005924715.tif 000013
【図１３】
0005924715.tif 000014
【図１４】
0005924715.tif 000015